(57)【要約】【課題】印刷物絵柄検査において、検出された欠陥が、擬似欠陥や判定ミスかどうかを簡単に確認可能とする印刷絵柄検査の結果表示方法及び装置を提供する。【解決手段】同一絵柄が繰り返し印刷されている印刷物の絵柄検査結果表示方法であって、印刷物の所定箇所を撮像する撮像段階と、得られた印刷物の画像（検査画像）と予め保持されている基準画像を比較して良否判定する判定段階と、判定段階で検査画像中に欠陥ありとされた場合、当該検査画像及び比較に使用された基準画像を関連付けて記録する画像記録段階と、それらの検査画像及び基準画像を画像表示手段に表示する画像表示段階と、表示された検査画像及び基準画像を作業者が確認して、欠陥ありとされた箇所が真の欠陥ではないと入力したら当該検査画像及び当該基準画像を削除する画像削除段階と、を有することを特徴とする印刷絵柄検査の結果表示方法。【選択図】図１
2011112430.tif 000002
【特許請求の範囲】
【請求項１】
同一の絵柄が繰り返し印刷されている印刷物の、印刷絵柄検査の結果表示方法であって、
検査対象物である前記印刷物の所定箇所を撮像する撮像段階と、
前記撮像段階により得られた前記印刷物の画像（検査画像）と予め保持されている基準画像を比較して良否判定する判定段階と、
前記判定段階において、ある検査画像中に欠陥があるとされた場合、当該検査画像及び比較に使用された基準画像を関連付けて記録する画像記録段階と、
前記画像記録段階で関連付けられて記録された検査画像及び基準画像を画像表示手段に表示する画像表示段階と、
作業者が前記画像表示段階で表示された検査画像及び基準画像を確認して、前記判定段階において欠陥とされた箇所が真の欠陥ではないとの判断を入力したら当該検査画像及び当該基準画像を削除する画像削除段階と、
を有することを特徴とする印刷絵柄検査の結果表示方法。
【請求項２】
同一の絵柄が繰り返し印刷されている印刷物の、印刷絵柄検査の結果表示装置であって、
検査対象物である前記印刷物の所定箇所を撮像する撮像手段と、
前記撮像手段により得られた前記印刷物の画像（検査画像）と予め保持されている基準画像を比較して良否判定する判定手段と、
前記判定手段により、ある検査画像中に欠陥があるとされた場合、当該検査画像及び比較に使用された基準画像を関連付けて記録する画像記録手段と、
前記画像記録手段により関連付けられて記録された検査画像及び基準画像を表示する画像表示手段と、
作業者が前記画像表示手段で表示された検査画像及び基準画像を確認して、前記判定手段において欠陥とされた箇所が真の欠陥かどうかの判断を入力する入力手段と、
作業者が前記欠陥は真の欠陥ではないと判断した場合に、当該検査画像及び当該基準画像を削除する画像削除手段と、
を有することを特徴とする印刷絵柄検査の結果表示装置。
【発明の詳細な説明】
【技術分野】
【０００１】
本発明は、同一の絵柄が繰り返し印刷されている印刷物の、印刷絵柄検査の結果表示方法及び結果表示装置に関するものである。
【背景技術】
【０００２】
各種印刷機による印刷工程における印刷絵柄検査は、基準となる画像（基準画像）と検査対象物の画像（検査画像）を使った絵柄比較によって印刷不良部の検査が行なわれる。（特許文献１及び特許文献２参照）
【０００３】
しかしながら、検査の結果、欠陥ではない部分を欠陥と判定してしまう、擬似欠陥や判定ミスがある。擬似欠陥とは、基準画像中の絵柄と検査画像中の絵柄で、絵柄のエッジ部分などが微妙に位置ずれなどをおこしたときに、基準画像と検査画像の間の比較値が大きな値を持ち、欠陥と判定されてしまうものである。また、判定ミスは、基準画像のほうに欠陥があったり、基準画像取得時の不備（例えば撮像タイミングのずれ、照明異常など）があったりした場合、検査画像のほうが不良と判断されてしまうことである。
【先行技術文献】
【特許文献】
【０００４】
【特許文献１】特開２００７−０３３２４７号公報
【特許文献１】特開平７−１０１０４８号公報
【発明の概要】
【発明が解決しようとする課題】
【０００５】
本発明は、以上の問題点の解決をサポートするもので、ある検査画像に対してそれを欠陥と判定する時に使用した基準画像を検査画像（欠陥画像）とともに１セットで、欠陥発生の都度、保存及び表示することで、欠陥があるとされた検査画像が、擬似欠陥や判定ミスでないかを簡単に確認可能とする、印刷絵柄検査の結果表示方法及び結果表示装置を提供することを目的とする。
【課題を解決するための手段】
【０００６】
上記の課題を解決するための手段として、請求項１に記載の発明は、
同一の絵柄が繰り返し印刷されている印刷物の、印刷絵柄検査の結果表示方法であって、
検査対象物である前記印刷物の所定箇所を撮像する撮像段階と、
前記撮像段階により得られた前記印刷物の画像（検査画像）と予め保持されている基準画像を比較して良否判定する判定段階と、
前記判定段階において、ある検査画像中に欠陥があるとされた場合、当該検査画像及び比較に使用された基準画像を関連付けて記録する画像記録段階と、
前記画像記録段階で関連付けられて記録された検査画像及び基準画像を画像表示手段に表示する画像表示段階と、
作業者が前記画像表示段階で表示された検査画像及び基準画像を確認して、前記判定段階において欠陥とされた箇所が真の欠陥ではないとの判断を入力したら当該検査画像及び当該基準画像を削除する画像削除段階と、
を有することを特徴とする印刷絵柄検査の結果表示方法、としたものである。
【０００７】
また、請求項２に記載の発明は、
同一の絵柄が繰り返し印刷されている印刷物の、印刷絵柄検査の結果表示装置であって、
検査対象物である前記印刷物の所定箇所を撮像する撮像手段と、
前記撮像手段により得られた前記印刷物の画像（検査画像）と予め保持されている基準画像を比較して良否判定する判定手段と、
前記判定手段により、ある検査画像中に欠陥があるとされた場合、当該検査画像及び比較に使用された基準画像を関連付けて記録する画像記録手段と、
前記画像記録手段により関連付けられて記録された検査画像及び基準画像を表示する画像表示手段と、
作業者が前記画像表示手段で表示された検査画像及び基準画像を確認して、前記判定手段において欠陥とされた箇所が真の欠陥かどうかの判断を入力する入力手段と、
作業者が前記欠陥は真の欠陥ではないと判断した場合に、当該検査画像及び当該基準画像を削除する画像削除手段と、
を有することを特徴とする印刷絵柄検査の結果表示装置、としたものである。
【発明の効果】
【０００８】
本発明は、基準画像と検査画像を１セットのデータとして、両方の画像を保存および表示するものである。欠陥発生の都度、基準画像と検査画像を並べて列で表示して、一目で発生欠陥がわかるようにすれば、擬似欠陥や判定ミスでないかを確認できる。また基準画像も表示されているため、基準画像が欠陥画像になっていればすぐに確認することができる。
以上により、擬似欠陥、判定ミスの解決をサポートすることを可能としたものである。
【図面の簡単な説明】
【０００９】
【図１】本発明に係る印刷物検査装置の概略図。
【図２】本発明に係る印刷物検査装置のシステム制御部の概略構成図。
【図３】本発明の具体的な表示画面の例である。
【発明を実施するための形態】
【００１０】
以下、図面を参照して本発明に係る印刷物検査装置の実施形態を、ロール状原反を印刷するグラビア印刷機に適用した場合を例として説明するが、本発明はこの実施例に制限されるものではない。
【００１１】
図１は本発明に係る印刷物検査装置の概略図を示す。同一絵柄が繰り返し印刷された絵柄単位毎にアイマーク２２をマークセンサ２５で検知して印刷物２１を撮像する際に撮像開始タイミングの取得が行われる。
【００１２】
印刷物２１を搬送し、撮像手段であるラインセンサカメラ２３の近傍にあるガイドローラ２４上の印刷物２１上に接触するようにしてロータリーエンコーダ２６が接続されている。このロータリーエンコーダ２６によって印刷物２１が所定距離だけ搬送される度に１パルスの信号が発生する。ロータリーエンコーダ２６が生成する信号を印刷物の走行速度に対応して分周し、分周した信号を撮像開始の撮影用トリガ信号として印刷物を撮像手段であるラインセンサカメラ２３で撮像し検査画像を得る。
【００１３】
同一絵柄が繰り返し印刷された印刷物２１を撮像する撮像手段であるラインセンサカメラ２３は、印刷物の搬送に合わせて撮像を行い、所定の分解能及び所定の画像サイズで画像データを取得する。
【００１４】
印刷物が紙等の反射物の場合には反射用照明光源（不図示）によって、または印刷物が透明なフィルムのような透過物の場合には透過用照明光源（不図示）によって照明された印刷物２１の絵柄を撮像する。撮像された検査画像は該検査画像以前に撮像した画像などを基準画像として画像処理手段である画像処理部２７によって差分比較され、欠陥の有無の判定が行われる。この差分比較の方法は従来の画像処理技術を適宜採用することが出来る。
【００１５】
欠陥があると判定された場合は、検査画像（欠陥画像）と、判定する時に使用した基準画像を
関連付けて画像データ記憶部３４に保存し、またメイン部３１を介して表示手段（不図示）に表示する。
【００１６】
なお、あらかじめ検査開始前に、欠陥種別ごとに欠陥画像を保存するかどうかの設定を行なえるようにしておいてもよい。そのような設定が出来る場合は、保存対象の欠陥発生時に該欠陥画像及び基準画像を保存及び表示する。
【００１７】
図３は、表示画面の一例を示したものである。検査対象画像（全体画像）は、画面の上方に表示されている。検査開始後、検査画像１つごとに、欠陥有無の判定が行なわれ、欠陥があると判定された場合は画面右方の欠陥マップにその発生位置がプロットされるとともに画面左方の最新基準画像、最新欠陥画像表示位置に１セットで該画像が表示される。
【００１８】
これらの該画像は欠陥発生都度、表示が更新される。また、ボタン操作により発生した全ての画像が順に表示されるようになっている。オペレータはこれらの最新基準画像、最新欠陥画像を同時に確認することができるため、発生した欠陥が擬似欠陥でないか、判定ミスでないかを判断できる。不要な欠陥であった場合には、削除機能によって該画像を削除できる。また、これらの画像は保存されるため、生産後に確認することもできる。これらの最新基準画像、最新欠陥画像更新、保存は、検査停止まで行なわれる。
【００１９】
以後検査中は、同様の処理を繰り返す。
以上の表示方法により、一目で発生欠陥がわかるとともに、その欠陥が擬似欠陥でないか、判定ミスでないかを確認することができる。また、基準画像が欠陥画像になっていないかも確認できる。
【符号の説明】
【００２０】
２１・・・印刷物
２２・・・アイマーク
２３・・・ラインセンサカメラ
２４・・・ガイドローラ
２５・・・マークセンサ
２６・・・ロータリーエンコーダ
２７・・・画像処理装置
３０・・・システム制御部
３１・・・メイン部
３２・・・Ｉ/Ｏ制御部
３３・・・通信制御部
３４・・・画像データ記憶部
【図２】
2011112430.tif 000003
【図１】
2011112430.tif 000004
【図３】
2011112430.tif 000005